(57)【要約】  本発明は、バニリン及びエチルバニリンを含有する化合物を主成分として含む組成物の製造方法に関する。２のバニリン／エチルバニリンモル比のバニリン及びエチルバニリンを含有する化合物を主成分として含む組成物の製造方法は、粉末の状態で、かつ、バニリン／エチルバニリンモル比が少なくとも２に等しくなる量で使用されるバニリン及びエチルバニリンの、５０℃〜５７℃の温度で実施される同時造粒工程と、その後、得られた組成物の温度を周囲温度に戻すことを可能にする工程とを含むことを特徴とする。【特許請求の範囲】
【請求項１】
２のバニリン／エチルバニリンモル比のバニリン及びエチルバニリンを主体とする化合物を主成分として含む組成物の製造方法であって、粉末の状態で、かつ、バニリン／エチルバニリンモル比が少なくとも２に等しくなる量で使用されるバニリン及びエチルバニリンの、５０℃〜５７℃の温度で実施される同時造粒工程と、その後、得られた組成物の温度を周囲温度に戻すことを可能にする工程とを含むことを特徴とする方法。
【請求項２】
前記バニリン及び前記エチルバニリンを次の割合で使用することを特徴とする、請求項１に記載の方法：
・６５〜７２重量％のバニリン、
・２８〜３５重量％のエチルバニリン。
【請求項３】
前記バニリン及び前記エチルバニリンを次の割合で使用することを特徴とする請求項１又は２のいずれかに記載の方法：
・６７〜７０重量％のバニリン、
・３０〜３３重量％のエチルバニリン。
【請求項４】
前記バニリン粉末とエチルバニリン粉末との混合を撹拌しながら実施し、しかも、該混合物を周囲温度から同時顆粒化温度にすることを特徴とする、請求項１〜３のいずれかに記載の方法。
【請求項５】
前記同時顆粒化温度が５０〜５７℃、好ましくは５０〜５５℃の間で選択されることを特徴とする、請求項４に記載の方法。
【請求項６】
前記温度の上昇を徐々に実施することを特徴とする、請求項４又は５のいずれかに記載の方法。
【請求項７】
前記同時顆粒化温度に達したら、前記混合物について、その温度で、反応物を所期の新規化合物に転化させるのに十分な時間にわたって撹拌した状態を維持することを特徴とする、請求項４〜６のいずれかに記載の方法。
【請求項８】
前記各工程を不活性ガス、好ましくは窒素の雰囲気下で実施することを特徴とする、請求項１〜７のいずれかに記載の方法。
【請求項９】
前記混合を湿潤窒素下で開始し、続いてその温度を徐々に上昇させ、そして、その温度が４４℃以上かつ４９℃未満のときに、乾燥窒素を導入することを特徴とする、請求項１〜７のいずれかに記載の方法。
【請求項１０】
前記窒素流が水の重量を１〜５％、好ましくは水の重量を２〜３％含有することを特徴とする、請求項９に記載の方法。
【請求項１１】
得られた組成物を、撹拌しながら、不活性雰囲気下で４０℃未満の温度、好ましくは３５℃未満の温度にまで冷却することを特徴とする、請求項１に記載の方法。
【請求項１２】
得られた組成物を粉砕技術に従って成形することを特徴とする、請求項１〜１１のいずれかに記載の方法。
【請求項１３】
前記組成物に１種以上の添加剤を添加することを特徴とする、請求項１〜１２のいずれかに記載の方法。
【請求項１４】
前記１種以上の添加剤を、予め得られた組成物と乾式混合することによって、又は該組成物の製造中に、好ましくはバニリンとエチルバニリンとの混合物の同時顆粒化工程の間に乾式混合することによって、全体的に又は部分的に添加することを特徴とする、請求項１３に記載の方法。
【請求項１５】
請求項１〜１４のいずれかに記載の方法に従って得られた組成物であって、
・８０〜９９重量％、好ましくは８０〜９４重量％の新規バニリン／エチルバニリン化合物とバニリンとの混合物、
・１〜２０重量％、好ましくは１〜１０重量％の他の結晶相
を含む組成物。
【請求項１６】
前記得られた混合物が
・８０〜９４重量％、好ましくは８６〜９４重量％の新規バニリン／エチルバニリン化合物と、
・６〜２０重量％、好ましくは６〜１４重量％のバニリンと
を含む、請求項１５に記載の組成物。
【請求項１７】
請求項１５又は１６のいずれかに記載の少なくとも１種の組成物と、脂肪物質；脂肪アルコール；糖類；多糖類；シリカ；バニリン及びエチルバニリンから選択される少なくとも１種の添加剤とを含む組成物。
【請求項１８】
前記添加剤が、
・糖類、好ましくはグルコース、スクロース、フルクトース、ガラクトース、リボース、マルトース、ソルビトール、マンニトール、キシリトール、ラクチトール、マルチトール；転化糖：グルコースシロップ、また、脂肪オイル、好ましくはココナツ油、パーム油、水添パーム油及び水添大豆油から誘導されるスクログリセリド；脂肪酸のスクロースエステル、好ましくはスクロースモノパルミテート、スクロースモノステアレート及びスクロースジステアレート、
・特にコムギ、トウモロコシ、オオムギ、コメ、キャッサバ又はジャガイモから得られた天然デンプン、アルファー化デンプン又は化工デンプン、特にアミロースに富んだ天然トウモロコシデンプン、アルファー化トウモロコシデンプン、化工トウモロコシデンプン、化工ワキシートウモロコシデンプン、アルファー化ワキシートウモロコシデンプン、化工ワキシートウモロコシデンプン、特にＯＳＳＡ／オクテニルコハク酸デンプンナトリウム、
・デンプン加水分解物、
・デンプン（コムギ、トウモロコシ）又はジャガイモ粉の加水分解により得られるデキストリン及びマルトデキストリン、また、β−シクロデキストリン、好ましくは２０未満のＤＥ、好ましくは５〜１９のＤＥ、より好ましくは６〜１５のＤＥを有するマルトデキストリン、
・セルロース、そのエステル、特にメチルセルロース、エチルセルロース、メチルエチルセルロース、ヒドロキシプロピルセルロース；又はそのエステル、特にナトリウム含有形態であってよいカルボキシメチルセルロース又はカルボキシエチルセルロース、
・ガム類、例えばカラギナンガム、カッパカラギナン又はイオタカラギナンガム、ペクチン、グアーガム、ローカストビーンガム、キサンタンガム、アルギネート、アラビアガム、アカシアガム、寒天、
・粉、好ましくは小麦粉（天然又はアルファー化）；デンプン類、好ましくはジャガイモ粉、
・ゼラチン、
・シリカ、
・酸化防止剤、好ましくはビタミンＥ、
・乳化剤、好ましくはレシチン、
・バニリン又はエチルバニリン
から選択されることを特徴とする、請求項１７に記載の組成物。
【請求項１９】
０．１〜９０重量％の添加剤、好ましくは２０〜７０重量％の添加剤を含むことを特徴とする、請求項１７又は１８に記載の組成物。
【請求項２０】
請求項１５〜１９のいずれかに記載の組成物の、食品及び動物飼料並びに製薬産業の分野における香料、並びに化粧品、香水及び洗剤産業におけるフレグランスとしての使用。
【請求項２１】
本発明の組成物を、ドライクッキー業界及び工場製造のケーキの分野においては、ドウの製造の間に好ましくは脂肪に使用し；チョコレート製造分野においては、特にチョコレートバー、クーベルチュールチョコレート又はチョコレート用フィリングの製造のために使用し；全ての種類のキャンディー：砂糖漬けアーモンド、キャラメル、ヌガー、ハードキャンディー、フォンダンキャンディーなどの製造の間に使用し；乳業においては、特に香り付けミルク及びミルクゼリー、クリームデザート、ヨーグルト、氷菓及びアイスクリームに使用し；砂糖にバニリンを含浸させることによるバニリンシュガーの製造に使用し；各種ドリンク類、好ましくはグレナディン及びチョコレートドリンクの製造に使用し；風味付けドリンクパウダー、チョコレートパウダーなどのインスタントドリンクの製造又は全ての種類のデザート類を製造するための粉末状のインスタント配合物に使用し；バターを変性させるために使用することを特徴とする、請求項２０に記載の使用。
【請求項２２】
本発明の組成物を、動物飼料、特に食餌を製造するために使用することを特徴とする、請求項２０に記載の使用。
【請求項２３】
本発明の組成物を、特に製薬産業における臭気マスキング剤として使用し；化粧品産業においては、クリーム、乳液及びメークアップ、並びに香料産業及び洗剤産業、特に石鹸製造における香料ベースなどの他の製品を製造するために使用することを特徴とする、請求項２０に記載の使用。
【発明の詳細な説明】
【技術分野】
【０００１】
本発明は、バニリン及びエチルバニリンを主体とする化合物を主成分として含む組成物の製造方法に関する。
【背景技術】
【０００２】
バニリン又は４−ヒドロキシ−３−メトキシベンズアルデヒドは、香料及び／又はフレグランスとして多くの適用分野において幅広く使用されている物質である。
【０００３】
つまり、バニリンは、食品産業及び動物飼料産業において非常に多く消費されているが、これは、例えば、薬学又は香料製造業など他の分野においても当てはまる。したがって、この物質は、高レベルの消費物質である。
【０００４】
バニリンは、エチルバニリン又は３−エトキシ−４−ヒドロキシベンズアルデヒドと組み合わされる場合が非常に多い。というのは、小量のエチルバニリンを存在させることで、バニリンの芳香特性及び／又は感覚刺激特性を増強させることが可能になることが知られているからである。
【０００５】
したがって、潜在的ユーザーは、バニリンとエチルバニリンとの既成混合物を提供されたいと考えられる。
【先行技術文献】
【特許文献】
【０００６】
【特許文献１】仏国特許出願第０８０５９１３号明細書
【発明の概要】
【発明が解決しようとする課題】
【０００７】
生じる問題は、バニリン粉末とエチルバニリン粉末とを乾式混合する従来技術の手段により該混合物を製造すると、非常に固まりやすい混合物ができてしまうことである。結果として、このような混合物は、粉末状ではないその対象のため、使用するのが不可能であり、また、得られた塊を溶解させるのに非常に大きな困難が伴う。
【０００８】
さらに、保存期間が長くなると、固化現象が悪化し、粉末が凝結してしまう。
【０００９】
したがって、流動性が改善し、かつ、保存中の固化がないバニリン及びエチルバニリンを主体とする新規な対象物を利用可能にすることが望ましい。
【課題を解決するための手段】
【００１０】
本願は、仏国特許出願第０８  ０５９１３号に従って、２のバニリン／エチルバニリンモル比で使用されるバニリン及びエチルバニリンの同時結晶化により得られた新規化合物が、特にその流動性及びその固化の欠如に関して、ユニークな特性を示すことを見出した。
【００１１】
該化合物は、それぞれ８１℃±１℃及び７６℃±１℃のバニリン及びエチルバニリンの融点とは異なる、６０℃±２℃の示差走査熱量測定法で測定される融点を有する白色粉末の状態である。
【００１２】
該化合物は、バニリン及びエチルバニリンとは異なる、その固有の特定のＸ線回折スペクトルを有する。
【００１３】
図１は、バニリンとエチルバニリンとの新規化合物、バニリン及びエチルバニリンの各種Ｘ線回折スペクトルに相当する３つの曲線を示している。
【００１４】
バニリンとエチルバニリンとの新規化合物のスペクトルについて、角度２θ（°）＝２０．７−２５.６−２７．５−２８．０でのラインの存在が特に注記される。該ラインは、バニリン及びエチルバニリンのＸ線回折スペクトルでは存在しない。
【００１５】
該化合物の別の特性は、そのＸ線回折スペクトルが長期間の保存中であっても有意な変化を受けないことである。
【００１６】
そのスペクトルの変化を周囲温度で保存時間に応じて監視した。図２で実証されるとおり、長い保存期間（５ヶ月）にわたって、上記新規化合物のスペクトル変化は、全く観察されない。
【００１７】
図２は、新規化合物のＸ線回折スペクトルの、保存時間に応じた変化を示している。該図は、時間ｔ＝０、その後２ヶ月及び５ヶ月間の保存後に得られた本発明の化合物の各種Ｘ線回折スペクトルに相当する３つの曲線を示す。
【００１８】
得られた３つの曲線は、常に重ね合わされる。これらをうまく区別できるように、これら図２の３つの曲線のうち２つは、時間ｔ＝０でのＸ線回折スペクトルである基準ベースラインに対して、意図的にシフトされたベースラインを有する。２ヶ月間の保存後に得られたＸ線回折スペクトルに相当する曲線は、５０００カウント／秒でシフトし、５ヶ月間の保存後に得られたものは１００００カウント／秒でシフトする。
【００１９】
図２は、長期間の保存後であっても本発明の化合物にはいかなる変化もないことを実証するものである。
【００２０】
２のバニリン／エチルバニリンモル比を有するバニリンとエチルバニリンとの新規化合物の上記特定のラインには変化が存在しないことが注目される。
【００２１】
該化合物の別の特徴は、該化合物がバニリン及びエチルバニリンのような吸湿性ではないこと又は吸湿性が極めて低い化合物であることである。
【００２２】
該化合物の吸湿性は、８０％相対湿度の空気下で１時間にわたり４０℃で保持した後に、その重量変化を測定することによって決定される。
【００２３】
該化合物は０．５重量％未満の水を吸収し、そしてその含有量は、好ましくは０.１〜０．３重量％の水である。該化合物は、完全に固体のままである。
【００２４】
さらに、この化合物は、良好な官能的性質を有し、しかもバニリンよりも遙かに大きい芳香力を有する。
【００２５】
つまり、本明細書の以下の部分の「新規化合物」で示す上記化合物は、単なる乾式混合で得られたバニリン及びエチルバニリンの組成物と比較して減少した固化能力により反映される特定の性質を有する。
【００２６】
上記バニリン及びエチルバニリンを主体とする化合物の特定の性質は、２つのパラメーター、すなわちバニリンとエチルバニリンとのモル比、及びその融点並びにそのＸ線回折スペクトルにより特徴付けられる特定の結晶形でのバニリンとエチルバニリンとの同時結晶化が存在するという事実に関連がある。
【００２７】
該化合物を得るための方法の一つに、２のモル比で使用されるバニリン及びエチルバニリンの混合物を溶融し、続いて該溶融混合物を、その温度を５０℃±１℃に低下させることによって冷却し、その後該混合物が完全に凝固するまでこの温度を保持することからなる方法がある。
【００２８】
この冷却は、有利には撹拌することなく実施される。
【００２９】
この目的のために、２のモル比で使用するバニリン及びエチルバニリンを別々に又は混合物として装入し、その混合物を６０℃〜９０℃、好ましくは７０℃〜８０℃の間で選択される温度にする。
【００３０】
この混合物の製造を不活性ガス、好ましくは窒素の雰囲気下で実施することが望ましい。
【００３１】
混合物を、溶融混合物が得られるまで、この選択された温度で保持する。
【００３２】
溶融生成物を任意の容器、例えば凝固後に生成物の回収を容易にするステンレススチール皿に移す。この容器を７０〜８０℃に予め加熱してから、溶融混合物を収容する。
【００３３】
その後の工程において、溶融混合物を、任意の既知の手段により冷却温度を制御することによって５０℃±１の温度に冷却する。
【００３４】
上記のように、冷却は、好ましくは撹拌することなく実施される。
【００３５】
その後、得られた凝固混合物を様々な技術、特にミリングに従って成形できる。
【００３６】
こうして、この方法は、バニリンとエチルバニリンとの新規化合物を得ることを可能にするが、ただし、この化合物の結晶化は非常に緩やかなので、産業規模に容易には移行できないという不利益がある。これは、該化合物が過冷却現象を示すため、すなわち、この生成物を溶融させ、そしてその融点よりも低く冷却した場合に、該化合物は結晶化に困難が伴い、長期間にわたって液体の状態を保持するためである。結晶化に要する時間は、多かれ少なかれランダムであるため、結晶化を正確に制御することが重要である。
【００３７】
すなわち、５０℃±１未満の温度、例えば２０℃にまで冷却すると、溶融混合物の凝固プロセスを促進することが可能にはなるが、様々な結晶相（そのうちのいくつかは周囲温度で不安定であり又は非常に吸湿性である）が共存した状態では結晶化は不均一である。これは、このような条件下で結晶化されたバニリン−エチルバニリン混合物の保存中にかなりの固化をもたらす。
【００３８】
バニリン−エチルバニリンモル比及び溶融混合物の結晶化の条件の重要性を例示するための比較例として、図３は、７０℃で溶融され、その後２０℃に急冷することによって結晶化された等モルのバニリン−エチルバニリン混合物のＸ線回折スペクトルを示している。
【００３９】
このスペクトルは、 角度２θ（°）＝７．９−１３．４−１５．８−１９．９−２２．２−３０．７での特定のラインでは、バニリンのスペクトルとも、エチルバニリンのスペクトルとも、２のバニリン／エチルバニリンモル比を有するバニリンとエチルバニリンとの新規化合物のスペクトルとも異なる。
【００４０】
図４は、２２℃で３週間の保存期間にわたるこのスペクトルの変化を示すものであり、このようにして結晶化された相が不安定であり、しかも急速に変化すると共に生成物の固化をもたらすことを示している。
【００４１】
この生成物は、４８℃±１の融点を有し、かつ、非常に吸湿性であることが分かった：４０℃及び８０％相対湿度の空気下で１時間にわたり、４％を超える水を吸収し、潮解状態となる。
【００４２】
したがって、その特性は、前記新規化合物の特性とは非常に異なり、しかもバニリン−エチルバニリン混合物によって引き起こされる固化の問題を解決することを可能にしない。
【００４３】
本発明の目的は、２のバニリン／エチルバニリンモル比を有するバニリンとエチルバニリンとの本質的に新規な化合物を得ることを可能にする、産業規模に移行可能な方法を提供することである。
【００４４】
本発明の別の目的は、上記のような改善された特性を有する、上記化合物を含む組成物をもたらすことである。
【００４５】
鋭意検討の結果、２のバニリン／エチルバニリンモル比のバニリン及びエチルバニリンを主体とする化合物を主成分として含む組成物の製造方法であって、粉末の状態で、かつ、バニリン／エチルバニリンモル比が少なくとも２に等しくなる量で使用されるバニリン及びエチルバニリンの、５０℃〜５７℃の温度で実施される同時造粒工程、その後、得られた組成物の温度を周囲温度に戻すことを可能にする工程を含むことを特徴とする方法を見出した。これは、本発明の主題を構成するものである。
【図面の簡単な説明】
【００４６】
【図１】図１は、バニリンとエチルバニリンとの新規化合物、バニリン及びエチルバニリンの各種Ｘ線回折スペクトルに相当する３つの曲線を示す。
【図２】図２は、新規化合物のＸ線回折スペクトルの、保存時間に応じた変化を示す図である。
【図３】図３は、７０℃で溶融され、その後２００℃に急冷することによって結晶化された等モルのバニリン−エチルバニリン混合物のＸ線回折スペクトルを示す図である。
【図４】図４は、２２℃で３週間の保存期間にわたるこのスペクトルの変化を示す図である。
【発明を実施するための形態】
【００４７】
本明細書において、表現「バニリン及びエチルバニリンを主体とする化合物を主成分として含む組成物」とは、２のバニリン／エチルバニリンモル比を有する新規バニリン／エチルバニリン化合物とバニリンとの混合物を少なくとも８０重量％含む組成物を意味するものとする：このバニリンは該混合物２５重量％未満を占める。
【００４８】
表現「新規バニリン／エチルバニリン化合物」とは、無水の状態の化合物及びその水和物を意味するものとする。
【００４９】
用語「同時顆粒化」とは、バニリン粉末及びエチルバニリン粉末から出発して、顆粒の形態の本発明の新規化合物を得ることからなる操作を意味するものとする。
【００５０】
用語「顆粒化」とは、粉末を顆粒の状態に成形することを意味するものとする。
【００５１】
本発明によれば、バニリンとエチルバニリンとの新規化合物は、この同時顆粒化方法に従って容易に得られることが分かった。
【００５２】
本出願人は、過剰のバニリンの存在が結晶化の種として作用し、それによって新規化合物の結晶化を容易にすることができることを見出した。
【００５３】
２のモル比に対して過剰のバニリンを確保するために、バニリン及びエチルバニリンを次の割合で使用する：
・６５〜７２重量％のバニリン,
・３５〜２８重量％のエチルバニリン。
【００５４】
僅かに過剰のバニリンが好ましい本発明の好ましい態様によれば、それらの割合は、有利には次のとおりである：
・６７〜７０重量％のバニリン、
・３０〜３３重量％のエチルバニリン。
【００５５】
本発明の方法の第１工程によれば、まず、バニリン粉末及びエチルバニリン粉末の均質な混合が実施される。
【００５６】
この目的のために、これらの粉末をミキサー・造粒機に別々に又は混合物として装入し、撹拌する。
【００５７】
好ましくは、撹拌条件は、高いせん断力が存在しないように選択される。
【００５８】
したがって、緩やかなせん断速度が好ましい。
【００５９】
例示として、プラウ型のミキサーの場合には、撹拌条件は、有利には、ブレードの端部で０.２〜１ｍ／秒の範囲にあると特定できる。
【００６０】
続いて、粉末の混合物を、「同時顆粒化温度」として本明細書の後の部分で言及する温度にする。
【００６１】
この温度は、示差走査熱量測定法で測定される、６０℃±２℃であるバニリンとエチルバニリンとの新規化合物の融点未満であると定義される。
【００６２】
つまり、同時顆粒化温度は、有利には、５０〜５７℃、好ましくは５０〜５５℃の間で選択される。
【００６３】
本発明に従って、バニリン粉末とエチルバニリン粉末との混合物を、周囲温度から上記のとおりに選択される同時顆粒化温度にする。
【００６４】
用語「周囲温度」とは、一般に１５〜２５℃の温度を意味するものとする。
【００６５】
温度の上昇は、好ましくは徐々に、例えば３分毎に１℃で実施される。
【００６６】
同時顆粒化温度に達したら、この混合物を、この温度で、該反応物質の所期の新規化合物への転化を得るのに十分な時間にわたって撹拌した状態にする。
【００６７】
この等温保持時間は、選択される同時顆粒化温度に応じて決定される。
【００６８】
選択された同時顆粒化温度が高ければ高いほど、等温保持時間は短い。
【００６９】
例えば、有利には５１℃で選択される同時顆粒化温度に対して、保持時間は、有利には５分〜１時間、好ましくは２０分〜４０分の範囲にある。この上限値は臨界的ではないが、ただし生産性の理由から、１時間以内の期間が優先的に選択されることに留意すべきである。
【００７０】
５４℃以上の温度については、等温保持を維持することはもはや必要ないことが分かっている。言い換えれば、上記温度に達したら、混合物を撹拌した状態に保持する理由はもはや存在しない。
【００７１】
上記操作は、好ましくは、不活性ガス、最も一般的には窒素の雰囲気下で実施される。
【００７２】
その後の工程において、得られた組成物を４０℃未満の温度に冷却する。
【００７３】
好ましい一実施形態によれば、組成物を、撹拌しながら不活性雰囲気下で４０℃未満の温度、好ましくは３５℃未満の温度にまで冷却する。この冷却温度の下限値は、有利には周囲温度である。
【００７４】
新規バニリン／エチルバニリン化合物を含む組成物が回収される。
【００７５】
本発明の方法の様々な操作は、有利にはプラウミキサー又はリボンミキサーであるミキサーで実施できる。
【００７６】
このミキサーは、有利には、二重ジャケットを備え、該二重ジャケット内に熱伝導流体を循環させることによって様々な熱伝達を与える。この熱伝導流体は、選択される同時顆粒化温度よりも上の２〜５℃の温度に保持された水や、他の任意の熱伝導流体、例えばシリコーンオイルであることができる。
【００７７】
冷却の場合には、熱伝導流体の温度（水の場合）は、例えば、選択された冷却温度の下２〜５℃の温度で選択されるのが一般的である。
【００７８】
本発明の方法に従って得られた化合物は、新規バニリン／エチルバニリン化合物とバニリンとの混合物を少なくとも８０重量％、好ましくは少なくとも９０重量％含む。
【００７９】
得られた組成物は、バニリン／エチルバニリン相図及び随意にバニリンの他の結晶相を２０重量％未満、好ましくは１０重量％未満含む：以下、この混合物を「他の結晶相」という。
【００８０】
さらに特定すると、得られる組成物は、
・８０〜９９重量％の新規バニリン／エチルバニリン化合物とバニリンとの混合物と
・１〜２０重量％の他の結晶相と
を含むことができる。
【００８１】
本発明の好ましい組成物は、
・９０〜９９重量％の新規バニリン／エチルバニリン化合物とバニリンとの混合物と
・１〜１０重量％の他の結晶相と
を含む。
【００８２】
新規バニリン／エチルバニリン化合物とバニリンとを含む得られた混合物において、バニリンは、該混合物の２０重量％未満、好ましくは１４重量％未満を占める。
【００８３】
さらに特定すると、得られた混合物は、
・８０〜９４重量％の新規バニリン／エチルバニリン化合物と
・６〜２０重量％のバニリンと
を含むことができる。
【００８４】
好ましい混合物は、次の組成：
・８６〜９４重量％の新規バニリン／エチルバニリン化合物、
・６〜１４重量％のバニリン
を有する。
【００８５】
得られた組成物は、例えば、２００μｍ〜１００００μｍ、好ましくは５００μｍ〜１０００μｍの範囲のサイズを有する顆粒の形態にある。
【００８６】
粒子のサイズを想定される用途と一致させるためには、粉砕操作が想起できる。
【００８７】
この操作は、中央径（ｄ50）によって表される粒度が２００μｍ〜１０００μｍの範囲、好ましくは５００μｍ〜８００μｍとなるような方法で実施される。この中央径は、粒子の５０重量％が該中央径よりも大きい又は小さい粒子を有するものであると定義される。
【００８８】
この粉砕操作は、ブレードミル、歯付きロール粉砕機又は造粒機などの従来の装置で実施できる。
【００８９】
得られた組成物のＸ線回折スペクトルは、角度２θ（°）＝２０.７−２５．６−２７．５−２８．０ のラインを有するが、これらは本発明の新規化合物の特徴である。
【００９０】
その流動性に関して、本発明の組成物は、８０％相対湿度の空気下において４０℃での保存の２４時間後に、２４００Ｐａの垂直圧力で、０.０５〜０.６の流動性指数を有する。
【００９１】
本発明の方法の好ましい一変形例によれば、粉末を湿潤窒素雰囲気下で混合する第１工程を実施し、それによってさらに白い生成物を得ることが特に有益であることがわかった。
【００９２】
ここで、窒素には小量の水が存在していてもよい。水は、窒素の重量の１〜５％、好ましくは窒素の重量の２〜３％を占めることができる。
【００９３】
窒素流の加湿は、水への散布により実施できる。
【００９４】
本発明の方法の好ましい一実施形態によれば、粉末の混合を湿潤窒素下で開始し、その後温度を徐々に上昇させ、そしてその温度が４４℃以上及び４９℃以下の場合には、乾燥窒素を導入する。
【００９５】
「乾燥窒素」とは、窒素１ｋｇ当たり０.５ｇ未満、好ましくは０.３ｇ未満の水を含む窒素流を意味するものとする。
【００９６】
その後の工程において、得られた組成物の温度を上記のとおり周囲温度に戻す。
【００９７】
得られた組成物は、図１に例示されるような特徴的なラインを含むＸ線回折スペクトルを有する。
【００９８】
湿潤窒素下でのこの実施変形例によれば、等温保持を短縮できるので色が一層白い組成物がより迅速に得られる。例えば、乾燥窒素下での温度上昇後に、５２℃で２時間にわたり等温保持するのが望ましい。温度の上昇を湿潤窒素下で実施する場合には、５２℃で３０分間の等温保持で十分である。
【００９９】
本発明の方法は、出発物質にかかわらず、任意の化学合成により生成されたバニリン及びエチルバニリンに適用される。
【０１００】
また、この方法は、生化学的方法、特に微生物発酵方法に従って得られたバニリン、特にフェルラ酸にも適している。
【０１０１】
本発明は、本発明と共に１種以上の添加剤を使用することを除外しない。
【０１０２】
添加剤の選択は、最終生成物の使用目的を考慮しなければならず、そのため、食品分野で使用する場合には食用に適したものでなければならないことに留意すべきである。
【０１０３】
添加剤の量は、極めて広範囲であり、最終混合物の重量の０．１〜９０％を占めることができる。
【０１０４】
この量は、有利には、２０〜７０重量％で選択される。
【０１０５】
選択される添加剤の種類、使用量及び最終生成物の使用目的に応じて、該添加剤は、本発明の組成物の製造終了時又は本発明の組成物の製造中に、全体的に又は部分的に導入できる。言い換えれば、添加剤の総量を本発明の組成物の製造中に導入することや、本発明の組成物の製造終了時に添加することができる。また、製造中又は製造後に使用される量を分けることも可能である。
【０１０６】
例示として、添加剤の５〜５０重量％を本発明の組成物の製造中に添加し、その後、本発明の組成物の製造を終えるときに、再度該添加剤の５〜５０重量％を添加することが可能であると特定できる。
【０１０７】
また、添加剤によっては導入のタイプを調節すること、すなわち添加剤の全量を例えば本発明の組成物の製造中に導入し、別の添加剤の添加量を分けること、又はその逆も可能である。
【０１０８】
第１の変形例によれば、添加剤は、得られた本発明の組成物との乾式混合により添加される。
【０１０９】
別の変形例によれば、添加剤は、本発明の組成物を得るための方法、例えばバニリンとエチルバニリンとの混合物の同時顆粒化工程の間に導入できる。
【０１１０】
同じ添加剤をこれら２つの製造工程で添加し、分割することや、 異なる添加剤を本発明の組成物の製造中又は終了時に導入することもできることは言うまでもない。
【０１１１】
以下において、使用できる添加剤の例を与えるが、ただし、それらには限定されない。
【０１１２】
脂肪物質が第１のタイプの添加剤に相当する。
【０１１３】
例としては、塩又はエステルの形態であってよい脂肪酸が挙げられる。
【０１１４】
使用される脂肪酸は、一般に、長鎖飽和脂肪酸、すなわち、例えば、カプリン酸、ラウリン酸、トリデシル酸、ミリスチン酸、パルミチン酸、ステアリン酸又はベヘン酸などの約９〜２１個の炭素原子の鎖長を有する脂肪酸である。
【０１１５】
これらの酸を塩形成された状態にすることが可能であり、その例としては、特にステアリン酸カルシウム又はステアリン酸マグネシウムが挙げられる。
【０１１６】
脂肪酸エステルとしては、特に、ステアリン酸グリセリル、パルミチン酸イソプロピル、パルミチン酸セチル及びミリスチン酸イソプロピルが挙げられる。
【０１１７】
また、特に、グリセリンと長鎖脂肪酸とのエステル、例えば、モノステアリン酸グリセリル、モノパルミトステアリン酸グリセリル、パルミトステアリン酸グリセリル、エチレングリコールパルミトステアレート、ポリパルミトステアリン酸グリセリル、ポリグリコール１５００及び６０００パルミトステアレート、モノリノール酸グリセリル；随意に、長鎖脂肪酸のモノ−又はジアセチル化グリセリンエステル、例えばモノアセチル化又はジアセチル化モノグリセリド及びそれらの混合物；半合成グリセリドも挙げられる。
【０１１８】
また、例えば、ミリスチルアルコール、パルミチルアルコール又はステアリルアルコールなどの炭素原子の鎖が約１６〜２２個の炭素原子である脂肪アルコールを添加することも可能である。
【０１１９】
また、例えば、ココナツアルコール、トリデカノール又はミリスチルアルコールなどの、１０〜２０個の炭素原子を有する直鎖又は分岐脂肪アルコールとエチレンオキシドとを１モル当たり６〜２０モルのエチレンオキシドの割合で縮合させることにより得られたポリオキシエチレン化脂肪アルコールを使用することも可能である。
【０１２０】
また、微結晶性ワックス、白ろう、カルナウバワックス又はパラフィンなどのワックスも挙げられる。
【０１２１】
糖類、例えばグルコース、スクロース、フルクトース、ガラクトース、リボース、マルトース、ソルビトール、マンニトール、キシリトール、ラクチトール、マルチトール；転化糖：グルコースシロップのみならず、ココナツ油、パーム油、水添パーム油及び水添大豆油などの脂肪オイルから誘導されるスクログリセリド；スクロースモノパルミテート、スクロースモノステアレート及びスクロースジステアレートなどの脂肪酸のスクロースエステルが挙げられる。
【０１２２】
他の添加剤の例としては、多糖類が挙げられ、特に次の物質及び及びそれらの混合物が挙げられる：
・特にコムギ、トウモロコシ、オオムギ、コメ、キャッサバ又はジャガイモから得られた天然デンプン、アルファー化デンプン又は化工デンプン、特にアミロースに富んだ天然トウモロコシデンプン、アルファー化トウモロコシデンプン、化工トウモロコシデンプン、化工ワキシートウモロコシデンプン、アルファー化ワキシートウモロコシデンプン、化工ワキシートウモロコシデンプン、特にＯＳＳＡ／オクテニルコハク酸デンプンナトリウム、
・デンプン加水分解物、
・デンプン（コムギ、トウモロコシ）又はジャガイモ粉の加水分解により得られるデキストリン及びマルトデキストリン、また、β−シクロデキストリン、
・セルロース、そのエステル、特にメチルセルロース、エチルセルロース、メチルエチルセルロース、ヒドロキシプロピルセルロース；又はそのエステル、特にナトリウム含有形態であってよいカルボキシメチルセルロース又はカルボキシエチルセルロース、
・ガム類、例えばカラギナンガム、カッパカラギナン又はイオタカラギナンガム、ペクチン、グアーガム、ローカストビーンガム、キサンタンガム、アルギネート、アラビアガム、アカシアガム、寒天。
【０１２３】
好ましくは、「デキストロース当量」又はＤＥによって測定される加水分解度が２０未満 、好ましくは５〜１９、より好ましくは６〜１５のマルトデキストリンが選択される。
【０１２４】
他の添加剤としては、粉、特に小麦粉（天然又はアルファー化）；デンプン類、特にジャガイモ粉、クズウコンデンプン、トウモロコシデンプン、トウモロコシ粉、サゴ又はタピオカが挙げられる。
【０１２５】
また、添加剤として、ゼラチン（好ましくはゲルメーターを使用して１００、１７５及び２５０ブルームのゲル強度を有する）を使用することもできる。このものは、区別なく、ブタの皮膚及び骨質の酸処理か、又は牛革及び骨質のアルカリ処理のいずれかに由来することができる。
【０１２６】
また、シリカ又は、例えば、特にビタミンＥなどの酸化防止剤や乳化剤、特にレシチンといった他の添加剤を添加することも可能である。
【０１２７】
上記混合物の香味力を調節し又はその味覚を向上させるために、エチルマルトール及び／又はプロペニルグエトールを使用することが想定できる。
【０１２８】
本発明は、補足量のバニリン又はエチルバニリンを添加することを除外しない。
【０１２９】
添加剤の選択は、予想される用途に従って、前記のとおりに行う。
【０１３０】
また、本発明の組成物は、多くの適用分野、特に食品及び医薬品分野並びに香料製造産業においても使用できる。
【０１３１】
本発明の組成物の用途の好ましい分野は、クッキー業界及びケーキ製造業、特に、
・ドライクッキー業界：従来型のスイートクッキー、バタークッキー、大型ラウンドクッキー、スナック類、ショートブレッド、
・工場製造のケーキ：シャンパンレディーフィンガー、薄型フィンガー、スポンジフィンガー、ジェノバケーキ、スポンジケーキ、マドレーヌ、パウンドケーキ、フルーツケーキ、アーモンドケーキ、プチフール。
【０１３２】
上記産業向けの混合物中に存在する必須要素は蛋白質（グルテン）とデンプンであり、これらは小麦粉により与えられるのが最も一般的である。様々なタイプのクッキー及びケーキを製造するために、ショ糖、塩、玉子、ミルク、脂肪、随意に化学酵母（炭酸水素ナトリウム若しくは他の人工酵母）又は生物学的酵母及び様々な穀類からの粉などの添加物を粉に添加する。
【０１３３】
本発明の組成物を、所望の製品に応じて製造中に対象分野における従来技術に従って仕込む（特にＪ．Ｌ．Ｋｉｇｅｒ及びＪ．Ｃ．Ｋｉｇｅｒ−Ｔｅｃｈｎｉｑｕｅｓ  Ｍｏｄｅｒｎｅｓ  ｄｅ  ｌａ  Ｂｉｓｃｕｉｔｅｒｉｅ，Ｐａｔｉｓｓｅｒｉｅ−Ｂｏｕｌａｎｇｅｒｉｅ  ｉｎｄｕｓｔｒｉｅｌｌｅｓ  ｅｔ  ａｒｔｉｓａｎａｌｅｓ  「クッキー、ケーキ及びベーカリー製品の産業的及び伝統的製造の近代技術］，ＤＵＮＯＤ，パリ，１９６８，第２巻、ｐｐ．２３１  ｆｆ参照））。
【０１３４】
好ましくは、本発明の組成物を、ドウの製造の際に使用される脂肪に仕込む。
【０１３５】
例示として、本発明の組成物をドウ１ｋｇ当たり０．００５〜０．２ｇの量で仕込むことを明示しておく。
【０１３６】
本発明の組成物は、チョコレート製造分野での使用に完全に適しており、使用される形態は問わない：チョコレートバー、クーベルチュールチョコレート、チョコレート用フィリング。
【０１３７】
該組成物を、コンチング、すなわちココアペーストと各種添加物、特に香料とのブレンド中に、又はコンチング後に、加工によりココアバターに仕込むことができる。
【０１３８】
この適用分野では、本発明の組成物は、チョコレートのタイプに応じて、最終製品１ｋｇ当たり０．０００５ｇ〜０．１ｇの割合で使用される：最も高い含有量はクーベルチュールチョコレートで使用される。
【０１３９】
本発明の組成物の別の用途は、全ての種類のキャンディー：砂糖漬けアーモンド、キャラメル、ヌガー、ハードキャンディー、フォンダンキャンディーなどの製造である。
【０１４０】
本発明の組成物の仕込量は、多かれ少なかれ望まれる濃い味に依存する。例えば、使用量は、０．００１％〜０．２％を範囲とすることができる。
【０１４１】
本発明の組成物は、乳業、特に香り付けミルク及びミルクゼリー、クリームデザート、ヨーグルト、氷菓及びアイスクリームでの使用に非常に好適である。
【０１４２】
香り付けは、本発明の組成物を、製品の製造の間に必要な混合工程において単に添加することによって実施される。
【０１４３】
使用される該組成物の含有量は概して低く、最終製品１ｋｇ当たり約０．０２ｇである。
【０１４４】
食品分野における本発明の組成物の別の用途は、バニリンシュガーの製造、すなわち、最終製品１ｋｇに対して表して約７ｇの含有量のバニリンを砂糖に含浸することである。
【０１４５】
また、本発明の組成物は、各種ドリンク類、特にグレナディン及びチョコレートドリンクに含まれることもできる。
【０１４６】
特に、該組成物は、自動ドリンクディスペンサーにより供給されるインスタントドリンク、風味付けドリンクパウダー、チョコレートパウダーの配合物や、水又はミルクでの希釈後に全ての種類のデザート類、カスタードタルト、ケーキミクスチャー、パンケーキを作るための粉末の状態のインスタント配合物に使用できる。
【０１４７】
バターを変性させるためにバニリンを使用することが一般的に行われている。この目的のために、本発明の組成物は、バター１メトリックトン当たり６ｇの割合で使用できる。
【０１４８】
本発明の別の適用分野は動物飼料、特にウシ用の食餌及びブタ飼料を製造するためのものである。推奨される含有量は、風味付けされる食餌１ｋｇ当たり約０．２ｇである。
【０１４９】
本発明の組成物は、製薬産業（医薬品の臭いをマスキングするため）又は他の工業製品（例えば、ガム類、プラスチック、ゴムなど）のためのマスキング剤など、他の用途に使用することもできる。
【０１５０】
該組成物は、化粧品産業、香料産業又は洗剤産業などの完全に異なる分野にも完全に好適である。
【０１５１】
該組成物は、クリーム、乳液、メークアップ及び他の製品などの化粧品だけでなく、香料組成物並びに芳香物質及び芳香製品における香料成分としても使用できる。
【０１５２】
用語「着香組成物」とは、溶媒、固体又は液体キャリヤー、定着剤、様々な臭気化合物などの様々な成分の混合物であって、本発明の組成物を取り入れ、かつ、使用して様々なタイプの最終製品に所望の芳香を付与するものをいう。
【０１５３】
フレグランスベースが、本発明の組成物を有利には０．１重量％〜２．５重量％の含有量で使用できる着香組成物の好ましい例を構成する。
【０１５４】
フレグランスベースは、例えば、オードトワレ［化粧水］、フレグランス、アフターシェーブローション；バスジェル又はシャワージェル、デオドラント又は発汗抑制製品などの化粧用品及び衛生用品（任意の性質のスティック又はローション、タルク又は粉末の形態にあるかどうかを問わない）；シャンプー及び任意のタイプのヘア製品などの毛髪用製品といった多数の芳香製品を製造するために使用できる。
【０１５５】
本発明の組成物の別の用途の例は石鹸製造分野である。該組成物は、着香される全素材の０．３％〜０．７５％の含有量で使用される。一般に、該組成物は、この用途においては、ベンゾインレジノイド及びチオ硫酸ナトリウム（２％）と併用される。
【０１５６】
本発明の組成物は、特に芳香剤又は任意のメンテナンス製品など他の多くの用途に使用できる。
【０１５７】
本発明の組成物の物理化学的特性は、次の方法に従って決定される：
１．融点
本発明の組成物の融点は示差走査熱量測定法で測定される。
【０１５８】
測定を、Ｍｅｔｔｌｅｒ  ＤＳＣ８２２ｅ示差走査熱量測定装置を使用して次の条件下で実施する：
・周囲温度での試料の調製：秤量し、試料キャリヤーに導入する、
・試料キャリヤー：ひだ付きアルミニウムカプセル、
・試験片：８．４ｍｇ、
・温度上昇速度：２℃／分、
・試験範囲：１０〜９０℃。
【０１５９】
組成物の試料を秤量し、ひだ付きのカプセルに導入し、次いで上記装置内に設置する。
【０１６０】
温度プログラムを実行し、そして融解プロフィールをサーモグラムで得る。
【０１６１】
融解温度は、上記操作条件下で作成されたサーモグラムに基づいて定義される。
【０１６２】
開始温度を保持する：融解ピークの最大の傾きに相当する温度。
【０１６３】
２．Ｘ線回折スペクトル
本発明の組成物のＸ線回折スペクトルは、Ｘ’Ｃｅｌｅｒａｔｏｒ検出器を備えたＸ’Ｐｅｒｔ  Ｐｒｏ  ＭＰＤ  ＰＡＮａｌｙｔｉｃａｌ装置を使用して次の条件下で決定する：
・開始位置［°２Ｔｈ．］：１．５１２４
・終了位置［°２Ｔｈ．］：４９．９７９４
・ステップサイズ［°２Ｔｈ．］：０．０１７０
・スキャンステップ時間［秒］：４１．００５１
・アノード材料：Ｃｕ
・Ｋ−Ａｌｐｈａ１［Å］：１．５４０６０
・発電機の設定：３０ｍＡ、４０ｋＶ
【０１６４】
３．流動特性及び粘結力指数
本発明の組成物は、保存中に固化（ケーキング）が少ないという特性を有するが、これは、粉末の流動性指数を決定することによって実証される。
【０１６５】
粉末の流動性は、当業者に周知の技術的観念である。詳細については、「Ｔｈｅ  Ｉｎｓｔｉｔｕｔｉｏｎ  ｏｆ  Ｃｈｅｍｉｃａｌ  Ｅｎｇｉｎｅｅｒｓ」，１９８９（ＩＳＢＮ：０  ８５２９５  ２３２  ５）により公開されたハンドブック「Ｓｔａｎｄａｒｄ  ｓｈｅａｒ  ｔｅｓｔｉｎｇ  ｔｅｃｈｎｉｑｕｅ  ｆｏｒ  ｐａｒｔｉｃｕｌａｔｅ  ｓｏｌｉｄｓ  ｕｓｉｎｇ  ｔｈｅ  Ｊｅｎｉｋｅ  ｓｈｅａｒ  ｃｅｌｌ」を参照することができる。
【０１６６】
流動性指数は、次の方法で測定される。
【０１６７】
粉末の流動性は、環状セル内で試料を剪断することにより測定される（ドイツ国のＤ．Ｓｃｈｕｌｚｅが販売）。
【０１６８】
粉末の予備せん断を５２００Ｐａの垂直応力下で実施する。
【０１６９】
試料の降伏位置をプロットするのに必要なせん断点を、予備せん断の応力よりも４つの低い垂直応力、典型的には４８０Ｐａ、８５０Ｐａ、２０５０Ｐａ及び３０２０Ｐａについて得る。
【０１７０】
「垂直応力に応じたせん断応力」のグラフにおけるモール円から、試料を特徴付ける次の２つの応力を降伏位置上で決定する：
・主方向における垂直応力；予備せん断点を通過する大きなモール円の終端により与えられる。
・凝集力；降伏位置に接し、かつ、起点を通過する小さなモール円の終端により与えられる。
【０１７１】
主方向における垂直応力対凝集力の比は無次元数であり、「流動性指数ｉ」という。
【０１７２】
これらの測定を、環状セルに充填した直後に実施する；このようにして即時の流動性指数を得る。
【０１７３】
別の系列の測定を、２４時間にわたり４０℃及び８０％相対湿度で保存されたセルを用いて２４００Ｐａの垂直応力下で行う。
【０１７４】
このようにして粘結力指数を得る。
【０１７５】
以下において、本発明を例示する実施例を与えるが、これらは本発明を限定する性質のものではない。
【実施例】
【０１７６】
これらの例において、言及されるパーセンテージは重量を基準にして表される。
例１
２１００ｇの粉末バニリン（ＶＡ）及び９００ｇのエチルバニリン（ＥＶＡ）（すなわちＶＡ／ＥＶＡ重量比＝７０／３０）を、１５リットルの容量を有するタンクを備え、二重ジャケットにより加熱されたプラウミキサーに導入する。これらの粉末の含水量は０．１重量％である。
【０１７７】
撹拌を２０ｒｐｍの速度、すなわち０．２５ｍ／ｓのブレード末端速度で開始する。この撹拌速度をこの方法の全ての段階にわたって一定に保持する。
【０１７８】
湿潤窒素の循環をミキサー内において２００Ｌ／時間の流量で達成する。窒素流の加湿を４０℃で保持した水に散布することにより実施して窒素１ｋｇ当たり２５ｇの水を得る。水浴とミキサーとの間の供給ラインを４５℃に保持してパイプ中で凝縮が起こるのを回避する。
【０１７９】
二重ジャケット中における熱伝導流体循環の温度を、粉末の混合物の温度が＋０．３℃／分の傾斜に従うように、徐々に上昇させる。
【０１８０】
この物質の温度が４９．５℃に達したときに、窒素流を湿潤化する水浴を迂回して、ミキサーに乾燥窒素循環を供給する（０．５ｇ未満の水／ｋｇ窒素）。同時に、１５ｇのＴｉｘｏｓｉｌ  ３６５シリカをミキサーに導入する。
【０１８１】
この物質の温度を０．２℃／分で４９．５℃から５２℃にし、その後５２℃で３０分間保持する。続いて、熱伝導流体の加熱を停止し、そしてこの物質の温度を自然冷却により３０℃に戻す。撹拌及び窒素循環を停止する。ミキサーの排出を行う。
【０１８２】
この物質を８００μｍでろ別する；通過した物質は、全重量の５６重量％を占める。８００μｍでオーバーサイズのものを、８００μｍスクリーンを装着したＱｕａｄｒｏ  Ｃｏｍｉｌｌミルを使用して粉砕する。その後、２つの画分を一緒にして、そしてその混合物を均質化して最終生成物を得る。
【０１８３】
これらの顆粒の融点を上記の示差走査熱量測定法により決定する。得られたサーモグラムは、新規バニリン／エチルバニリン化合物に相当する主ピークを示す。このピークの最大の傾きに相当する融解温度（Ｔｏｎｓｅｔ）は５９．５℃である。
【０１８４】
顆粒のＸ線回折スペクトルは、図１に示すように、角度２θ＝２０．７−２５．６−２７．５−２８．０で特徴的なラインを示すが、これは、バニリンのスペクトル及びエチルバニリンのスペクトルとは相違する。
【０１８５】
環状セルを使用して上記のとおり測定される流動性指数及び粘結力指数は、それぞれ５．７０及び０．０９である。
【０１８６】
例２
例１の手順を繰り返したが、ただし、次の手順のみを変更した：
・４０ｒｐｍの撹拌速度、
・＋０．５℃／分の湿潤窒素雰囲気下での温度上昇傾斜、
・５５℃の乾燥窒素下最終温度、
・冷却前の等温保持なし。
【０１８７】
最終同時顆粒化温度の上昇により、等温保持なしが可能になり、バニリン／エチルバニリン混合物の新規化合物への完全な添加を確保することが可能になる。一方、顆粒サイズの増大がさらに大きい。というのは、ミキサーの出口において、８００μｍを通過する材料は、総重量の２７％を占めるにすぎず、この物質の７３％を粉砕することが必要になるからである。
【０１８８】
８００μｍでオーバーサイズのものを粉砕し、そして２つの画分を混合した後に、得られた物質は、６．３０の流動性指数及び０．１０の粘結力指数を有する。
【０１８９】
例３
例１の手順を繰り返したが、ただし１５ｇのＴｉｘｏｓｉｌ  ３６５シリカの代わりに１５０ｇのＲｏｑｕｅｔｔｅ  ＩＴ１２マルトデキストリンを用いた点のみが相違する。
【０１９０】
ミキサーの出口において、８００μｍを通過する物質は、総重量の５５％を占める。
【０１９１】
８００μｍでオーバーサイズのものを粉砕し、そして２つの画分を混合した後に、得られた物質は、５．９０の流動性指数及び０．１２の粘結力指数を有する。
【０１９２】
例４
この例では、例１に従って製造された顆粒５０重量％とＲｏｑｕｅｔｔｅ  ＩＴ６マルトデキストリン５０重量％とを含む顆粒の状態の組成物を製造する。
【０１９３】
約５分間続く混合操作を６０ｒｐｍの回転速度のプラウミキサー内で周囲空気雰囲気下において周囲温度で実施する。
【０１９４】
このようにして得られた混合物は、８．８０の流動性指数及び０．６２の粘結力指数を有する。
【０１９５】
その芳香力は純粋なバニリンと同等である。
【図１】
2013520541.tif 000002
【図２】
2013520541.tif 000003
【図３】
2013520541.tif 000004
【図４】
2013520541.tif 000005
【国際調査報告】
2013520541.tif 000006
2013520541.tif 000007
2013520541.tif 000008
2013520541.tif 000009